(57)【要約】【課題】  高さ方向のスペースを有効に利用でき、かつ、遊技球の計数精度を仕様に応じて容易に向上させることの可能な遊技球計数器の提供を目的とする。【解決手段】  遊技球計数器１ａは、遊技球通路２２，２３の少なくとも一部が形成された筐体２と、この筐体２に回転自在に軸支され、遊技球１００と係合する球係合部３３が形成され、かつ、磁性部材５１，５１ａを所定の距離だけ移動自在に収納する収納部３４，３４ａが円板部３１に形成されたスプロケット３ａと、筐体２に揺動自在に軸支され、ウエイト部４３を有するストッパレバー４と、スプロケット３の回転に応じて磁性部材５１，５１ａを検出し、所定の計数信号を出力するリードスイッチ５２と、を具備した構成としてある。【選択図】  図３
2005270428.tif 000002
【特許請求の範囲】
【請求項１】
遊技球通路の少なくとも一部が形成された筐体と、この筐体に回転自在に軸支され、歯と歯の間に遊技球と係合する球係合部の形成されたスプロケットと、前記筐体に揺動自在に軸支され、前記球係合部に係合可能なウエイト部を有するストッパレバーと、前記スプロケットの回転に応じて所定の計数信号を出力する計数信号発生手段と、を備えた遊技球計数器であって、
前記遊技球通路を、傾斜角度が０度以上９０度未満の傾斜方向遊技球通路としたことを特徴とする遊技球計数器。
【請求項２】
前記筐体に、前記遊技球が垂直方向に落下する垂直方向遊技球通路の少なくとも一部を形成し、前記遊技球の移動方向に応じて、前記傾斜方向遊技球通路又は垂直方向遊技球通路が選択的に使用されることを特徴とする請求項１記載の遊技球計数器。
【請求項３】
遊技球通路の少なくとも一部が形成された筐体と、
この筐体に回転自在に軸支され、歯と歯の間に遊技球と係合する球係合部が形成され、かつ、磁性部材を所定の距離だけ移動自在に収納する一又は二以上の収納部が円板部に形成されたスプロケットと、
前記筐体に揺動自在に軸支され、前記球係合部に係合可能なウエイト部を有するストッパレバーと、
前記スプロケットの回転に応じて前記磁性部材を検出し、所定の計数信号を出力する磁気検出スイッチと、
を具備したことを特徴とする遊技球計数器。
【請求項４】
前記二以上の収納部に、計数精度に応じて、前記磁性部材を収納することを特徴とする請求項３記載の遊技球計数器。
【請求項５】
遊技球通路の少なくとも一部が形成された筐体と、
この筐体に回転自在に軸支され、歯と歯の間に遊技球と係合する球係合部が形成されたスプロケットと、
前記筐体に揺動自在に軸支され、前記球係合部に係合可能なウエイト部を有し、かつ、磁性部材が設けられたストッパレバーと、
前記スプロケットの回転に応じて揺動する前記磁性部材を検出し、所定の計数信号を出力する磁気検出スイッチと、
を具備したことを特徴とする遊技球計数器。
【請求項６】
前記遊技球通路を、傾斜角度を０度以上９０度未満とした傾斜方向遊技球通路，及び／又は，前記遊技球が垂直方向に落下する垂直方向遊技球通路としたことを特徴とする請求項３〜５のいずれかに記載の遊技球計数器。
【発明の詳細な説明】
【技術分野】
【０００１】
本発明は、遊技球計数器に関し、特に、パチンコ遊技機の入賞に対する賞球として払い出される遊技球や貸玉として払い出される遊技球を補給する補給メータ、および、パチンコ遊技機から排出される打ち込み玉を計数するアウトメータに使用され、計数精度を向上させ、かつ、高さ方向の省スペース化を図ることの可能な遊技球計数器に関する。
【背景技術】
【０００２】
パチンコ遊技機には、遊技機本体に付属する装置として、遊技球を計数して払い出す補給メータ及び打ち込まれた遊技球を計数するアウトメータが設けられている。
また、これら補給メータ及びアウトメータには、共用可能な遊技球計数器が取り付けられている。
【０００３】
たとえば、特許文献１の補給メータ（カウンタ）は、遊技球が整列して縦方向に通過する球通路を形成した収納ボックスと、回動自在に軸着され外周部に複数の球係合部を形成したスプロケットと、このスプロケットに揺動自在に設けられ、球係合部に係合可能なウエイト部を有するストッパレバーと、スプロケットの回動に応じて所定の計数信号を出力する計数信号発生手段とを備えた補給メータの技術が開示されている。
この補給メータは、通過する遊技球の検出を確実に行なうことができ、さらに、ストッパレバーを外部から押圧することにより、ストッパレバーのウエイト部をスプロケットの球係合部に陥入させてスプロケットの回動を阻止することができる。
【特許文献１】特開平７−２６５５３４号公報  （請求項１、図３）
【発明の開示】
【発明が解決しようとする課題】
【０００４】
しかしながら、上記特許文献１にかかる補給メータは、縦方向に通過する遊技球を計数する構造となっており、スプロケットの最大径より長い球通路を確保する必要があった。このために、高さ方向のスペースを有効に利用することができず、パチンコ機の補給装置として装着する際、高さ方向に部品を効率よく配設することができず、装着自由度が大幅に制限されるといった問題があった。
【０００５】
また、上記補給メータは、通常、遊技球が１０個通過するごとに出力信号として１パルスを出力する構成となっており、たとえば、パチンコ遊技における遊技球が１個４円とすると、計数精度は、４０円（＝４（円／個）×１０個）となる。これに対し、スロットマシン遊技におけるメダルは、１枚２０円であり、かつ、１枚ごとに管理されている状況と比べると、計数精度が低いといった問題が指摘されていた。特に、メダルと同じ精度で遊技球を管理したいと希望する遊技場関係者の要望に応えることができなかった。
【０００６】
本発明は、上記の事情にかんがみなされたものであり、高さ方向のスペースを有効に利用でき、かつ、遊技球の計数精度を仕様に応じて容易に向上させることの可能な遊技球計数器の提供を目的とする。
【課題を解決するための手段】
【０００７】
この目的を達成するため、本発明の遊技球計数器は、遊技球通路の少なくとも一部が形成された筐体と、この筐体に回転自在に軸支され、歯と歯の間に遊技球と係合する球係合部の形成されたスプロケットと、前記筐体に揺動自在に軸支され、前記球係合部に係合可能なウエイト部を有するストッパレバーと、前記スプロケットの回転に応じて所定の計数信号を出力する計数信号発生手段と、を備えた遊技球計数器であって、前記遊技球通路を、傾斜角度が０度以上９０度未満の傾斜方向遊技球通路とした構成としてある。
このようにすると、高さ方向のスペースを有効に利用することができ、パチンコ機の補給装置として装着する際、高さ方向に部品を効率よく配設することができ、装着自由度を大幅に増大させることができる。
【０００８】
また、本発明の遊技球計数器は、前記筐体に、前記遊技球が垂直方向に落下する垂直方向遊技球通路の少なくとも一部を形成し、前記遊技球の移動方向に応じて、前記傾斜方向遊技球通路又は垂直方向遊技球通路が選択的に使用される構成としてある。
このようにすると、パチンコ遊技機の補給装置として、選択的に使用することができるので、製品としての付加価値を高めるとともに、共用化することによって製造原価のコストダウンを図ることができる。
【０００９】
また、本発明の遊技球計数器は、遊技球通路の少なくとも一部が形成された筐体と、この筐体に回転自在に軸支され、歯と歯の間に遊技球と係合する球係合部が形成され、かつ、磁性部材を所定の距離だけ移動自在に収納する一又は二以上の収納部が円板部に形成されたスプロケットと、前記筐体に揺動自在に軸支され、前記球係合部に係合可能なウエイト部を有するストッパレバーと、前記スプロケットの回転に応じて前記磁性部材を検出し、所定の計数信号を出力する磁気検出スイッチと、を具備した構成としてある。
このようにすると、スプロケットが一回転するごとに、磁性部材の数量に応じた数のパルスを出力することができるので、計数精度を向上させることができる。
【００１０】
また、本発明の遊技球計数器は、前記二以上の収納部に、計数精度に応じて、前記磁性部材を収納する構成としてある。
このようにすると、磁性部材の収納数を調整することにより、計数精度を容易に調整することができる。
【００１１】
また、本発明の遊技球計数器は、遊技球通路の少なくとも一部が形成された筐体と、この筐体に回転自在に軸支され、歯と歯の間に遊技球と係合する球係合部が形成されたスプロケットと、前記筐体に揺動自在に軸支され、前記球係合部に係合可能なウエイト部を有し、かつ、磁性部材が設けられたストッパレバーと、前記スプロケットの回転に応じて揺動する前記磁性部材を検出し、所定の計数信号を出力する磁気検出スイッチと、を具備した構成としてある。
このようにすると、スプロケットが一個の遊技球を通過させるごとに、１パルスを出力することができるので、計数精度をさらに向上させることができる。
【００１２】
また、本発明の遊技球計数器は、前記遊技球通路を、傾斜角度を０度以上９０度未満とした傾斜方向遊技球通路，及び／又は，前記遊技球が垂直方向に落下する垂直方向遊技球通路とした構成としてある。
このようにすると、遊技球の計数精度を向上させるとともに、高さ方向のスペースを有効に利用することができる。
【発明の効果】
【００１３】
このように、本発明にかかる遊技球計数器は、高さ方向のスペースを有効に利用でき、補給装置の装着自由度を大幅に増大させることができるとともに、遊技球の計数精度を向上させることができる。
【発明を実施するための最良の形態】
【００１４】
［第一実施形態］
図１は、本発明の第一実施形態にかかる遊技球計数器を説明するための概略図であり、（ａ）は上面図を、（ｂ）はＡ−Ａ断面図を示している。
同図において、遊技球計数器１は、筐体２と、スプロケット３と、ストッパレバー４と、計数信号発生手段５とからなっている。
【００１５】
筐体２は、Ａ−Ａ線に沿って二つ割りされたほぼ矩形箱状としてあり、内部にスプロケット３，ストッパレバー４及び計数信号発生手段５を収納している。
また、筐体２の下面２１は、傾斜角度が左上がり約１６度の傾斜方向遊技球通路２２の一部（上部）として形成してある。なお、「遊技球通路の少なくとも一部が形成された筐体」とは、このように、傾斜方向遊技球通路２２の上部として、筐体２の下面２１が機能する場合をも含むものとする。また、特許請求の範囲において、傾斜角度を０度以上９０度未満としてあるが、実用性を考慮すると、１度以上３０度未満が好適である。
このようにすると、遊技球計数器１は、図２（ａ）に示すように、供給路１０１と玉受け皿１０２との高さ方向の距離Ｈを短くした場合であっても、傾斜方向遊技球通路２２を移動する遊技球１００を計数することができる。
【００１６】
また、遊技球計数器１が、距離Ｈを短くすることにより、パチンコ遊技機における高さ方向のスペースを有効利用することが可能となり、パチンコ機の補給装置として装着する際、高さ方向に部品を効率よく配設することができ、装着自由度を大幅に増大させることができる。
なお、本実施形態では、傾斜方向遊技球通路２２の上部が、筐体２の下面２１によって形成されているが、この構造に限定されるものではなく、たとえば、傾斜方向遊技球通路２２の全体を筐体２に下部に形成する構造としてもよい。
【００１７】
ここで、好ましくは、筐体２の左側側壁に、遊技球１００を垂直方向に落下させる垂直方向遊技球通路２３を形成するとよい。このようにすると、図２（ｂ）に示すように、パチンコ遊技機の仕様に応じて、供給路１０１と玉受け皿１０２との高さ方向の距離Ｈ´（Ｈ´＞Ｈ）を長くする場合であっても、遊技球計数器１を使用することができる。すなわち、遊技球計数器１は、パチンコ遊技機の仕様に応じて、選択的に使用することができるので、製品としての付加価値を高めるとともに、共用化することによって製造原価のコストダウンを図ることができる。
【００１８】
スプロケット３は、肉厚の円板部３１と、この円板部３１の外周に突設された、円板部３１の約１／３の厚さの歯３２とからなっており、筐体２に回転自在に軸支されている。
また、スプロケット３は、歯３２が等間隔で１０個配設してあり、歯３２と歯３２の間に遊技球１００と係合する球係合部３３が形成される構造としてある。したがって、１０個の遊技球１００が、傾斜方向遊技球通路２２又は垂直方向遊技球通路２３を通過すると、スプロケット３が一回転する。
【００１９】
スプロケット３は、円板部３１に、フェライト等の磁性部材５１を周方向に所定の距離だけ移動自在に収納する収納部３４が形成してある。ここで、所定の距離とは、磁性部材５１が後述するリードスイッチ５２の検出範囲を通過する距離であり、このようにすると、磁性部材５１がリードスイッチ５２の検出範囲にとどまり、誤ってパルスが出力されるといった不具合を防止することができる。
【００２０】
ストッパレバー４は、スプロケット３を上方から覆うように、板部材４１のほぼ中央部が筐体２に揺動自在に軸支され、板部材４１におけるスプロケット３の回転方向側（反時計廻り方向側）の一端には、屈曲片４２が下向に延設され、他端にはウエイト部４３が形成された構成としてある。
ストッパレバー４は、スプロケット３を遊技球１００が通過した瞬間において、ウエイト部４３の下面４４が、スプロケット３の球係合部３３に収まり、スプロケット３が慣性により回転するのを防止する。そして、スプロケット３を次の遊技球１００が通過する際、ウエイト部４３が持ち上げられるので、スプロケット３は回転することができる。また、スプロケット３は、ウエイト部４３が持ち上げられながら回転することができる。
なお、ウエイト部４３の上方を押圧手段（図示せず）で押さえつけると、スプロケット３が回転できなくなるので、遊技球１００の移動を強制的に停止させることができる。
【００２１】
計数信号発生手段５は、上記磁性部材５１，リードスイッチ５２，リードスイッチ５２が実装される基板５３，及び出力信号コネクタ５４とからなっている。
磁気検出スイッチとしてのリードスイッチ５２は、検出領域を磁性部材５１が通過するときオンとなるので、磁性部材５１が収納部３４を移動すると、１パルスを出力信号コネクタ５４から出力することができる。
なお、図示してないが、スプロケット３が磁性部材５１を上方に押し上げる部位に、磁性部材５１に近づけて鉄片が設けてある。このようにすると、磁性部材５１と鉄片との間に磁気吸引力が作用するので、回転していたスプロケット３が急激に回転を停止しても、磁性部材５１のばたつき（磁性部材５１の上方への跳ね上がり）を防止することができる。
【００２２】
次に、上記構成の遊技球計数器１の動作について説明する。
本実施形態の遊技球計数器１は、傾斜方向遊技球通路２２の一部と垂直方向遊技球通路２１を有しているので、いずれの補給装置にも対応することができる。
遊技球計数器１を傾斜方向遊技球通路２２に使用した場合について説明すると（図１（ｂ）及び図２（ａ）参照）、傾斜方向遊技球通路２２を遊技球１００が通過する際、遊技球１００がスプロケット３の歯３２と接触し、遊技球１００一個分だけスプロケット３を回転させる。このとき、ストッパレバー４の板部材４１と接触している歯３２が、ウエイト部４３を持ち上げる。ここで、スプロケット３が回転すると、屈曲片４２が球係合部３３に沿って移動し、スプロケット３に対し制動をかけることができる。さらに、一個の遊技球１００がスプロケット３を通過すると、ウエイト部４３が次の球係合部３３に収まるので、スプロケット３が慣性によって回転するのをより効果的に制動することができる。
【００２３】
遊技球１００が順次スプロケット３を通過すると、図示してないが、磁性部材５１がスプロケット３の収納部３４の反回転側に位置する状態で回転しながら上昇する。そして、さらにスプロケット３が回転すると、磁性部材５１は、収納部３４の反回転側から収納部３４の回転側まで（所定の距離だけ）、重力によって自動的に移動する。この際、リードスイッチ５２の検出領域を通過するので、出力信号コネクタ５４から１パルスが出力される。ここで、磁性部材５１は、収納部３４を回転側に移動することにより、リードスイッチ５２の検出領域を一瞬で通過してしまうので、出力信号コネクタ５４からは、１パルスだけが出力される。
なお、スプロケット３，ストッパレバー４及び計数信号発生手段５の動作は、遊技球１００が垂直方向遊技球通路２１を通過する場合も同様である。
【００２４】
このように、本実施形態の遊技球計数器１によれば、傾斜方向遊技球通路２２を通過する遊技球１００を検出することができるので、高さ方向のスペースを有効利用することができ、補給装置の装着自由度を増大させることができる。
また、本実施形態の遊技球計数器１は、遊技球１００が垂直方向遊技球通路２１を通過する場合にも対応することができるので、遊技球計数器１として共用化されるので、付加価値を高めることができる。
【００２５】
［第二実施形態］
図３は、本発明の第二実施形態にかかる遊技球計数器を説明するための概略図であり、（ａ）は上面図を、（ｂ）はＢ−Ｂ断面図を示している。
同図において、遊技球計数器１ａは、筐体２と、スプロケット３ａと、ストッパレバー４と、計数信号発生手段５とからなっている。
なお、本実施形態は、第一実施形態と比較して、スプロケット３に代え、二つの収納部３４，３４ａを設けたスプロケット３ａを使用し、二つの収納部３４，３４ａに、それぞれ磁性部材５１，５１ａを収納した構成としてある。そして、スプロケット３ａが一回転すると、二つの収納部３４，３４ａにそれぞれ収納された二つの磁性部材５１，５１ａをリードスイッチ５２が検出し、２パルスを出力する点が相違する。他の構成要素は第一実施形態と同様としてある。
したがって、図３において、図１と同様の構成部分については同一の符号を付して、その詳細な説明を省略する。
【００２６】
遊技球計数器１ａは、スプロケット３ａに、回転軸３５に対して対象に、二つの収納部３４，３４ａが形成してある。また、両収納部３４，３４ａには、それぞれ磁性部材５１，５１ａが挿入される。
その他の構成は、上記遊技球計数器１とほぼ同様としてある。
【００２７】
次に、上記構成の遊技球計数器１ａの動作について説明する。
遊技球計数器１ａは、四個の遊技球１００が順次スプロケット３を通過すると、磁性部材５１ａがスプロケット３の収納部３４ａの反回転側に位置する状態で回転する。そして、五個目の遊技球１００がスプロケット３を通過すると、磁性部材５１ａは、収納部３４ａの反回転側から収納部３４ａの回転側まで、重力によって一瞬で自動的に移動する。
この際、リードスイッチ５２の検出領域を通過するので、出力信号コネクタ５４から１パルスが出力される。ここで、磁性部材５１ａは、収納部３４ａを回転側に移動することにより、リードスイッチ５２の検出領域を通過してしまっているので、出力信号コネクタ５４からは、１パルスだけが出力される。このとき、スプロケット３ａは、五個の遊技球１００を通過させているので、遊技球計数器１ａは、遊技球１００五個に対して、出力信号コネクタ５４から１パルスを出力することができる。
【００２８】
続いて、遊技球計数器１ａは、四個の遊技球１００が順次スプロケット３を通過すると、磁性部材５１がスプロケット３の収納部３４の反回転側に位置する状態で回転する。そして、五個目の遊技球１００がスプロケット３を通過すると、磁性部材５１は、収納部３４の反回転側から収納部３４の回転側まで、一瞬で重力によって自動的に移動する。ここで、磁性部材５１は、収納部３４を回転側に移動することにより、リードスイッチ５２の検出領域を通過してしまっているので、出力信号コネクタ５４からは、１パルスだけが出力され、同様に、遊技球計数器１ａは、五個の遊技球１００に対して、出力信号コネクタ５４から１パルスを出力することができる。
【００２９】
このように、本実施形態の遊技球計数器１ａによれば、遊技球１００の計数精度を、五個の遊技球１００に対して１パルスを出力することができ、遊技球計数器１と比べて計数精度を２倍に向上することができる。
なお、本実施形態の遊技球計数器１ａは、磁性部材５１，５１ａをいずれか一方の収納部３４，３４ａに一個だけ挿入することにより、十個の遊技球１００に対して１パルスを出力する構成に容易に変更することができる。すなわち、部品の共用化を図ることができ、管理費や製造原価を低減することができる。
【００３０】
［第三実施形態］
図４は、本発明の第三実施形態にかかる遊技球計数器を説明するための概略図であり、（ａ）は上面図を、（ｂ）はＣ−Ｃ断面図を示している。
同図において、遊技球計数器１ｂは、筐体２と、スプロケット３ａと、ストッパレバー４ｂと、計数信号発生手段５ｂとからなっている。
なお、本実施形態は、第二実施形態と比較して、磁性部材５１，５１ａの代わりに、磁性部材５１ｂをストッパレバー４ｂのウエイト部４３に設け、揺動する磁性部材５１ｂをリードスイッチ５２ｂが検出し、一個の遊技球１００がスプロケット３を通過するごとに、１パルスを出力する点が相違する。他の構成要素は第二実施形態と同様としてある。
したがって、図４において、図３と同様の構成部分については同一の符号を付して、その詳細な説明を省略する。
【００３１】
遊技球計数器１ｂは、スプロケット３ａに磁性部材５１，５１ａを設ける代わりに、ストッパレバー４ｂのウエイト部４３のほぼ中央部に磁性部材５１ｂを設け、計数信号発生手段５ｂのリードスイッチ５２ｂを、揺動する磁性部材５１を検出する位置に設けた構成としてある。
その他の構成は、上記遊技球計数器１ａとほぼ同様としてある。
【００３２】
次に、上記構成の遊技球計数器１ｂの動作について説明する。
遊技球計数器１ｂは、傾斜方向遊技球通路２２を一個の遊技球１００が通過する際、遊技球１００がスプロケット３の歯３２と接触し、遊技球１００一個分だけスプロケット３を回転させる。このとき、ストッパレバー４ｂのウエイト部４３の下面４４と接触している歯３２が、ウエイト部４３を持ち上げる。
この際、計数信号発生手段５ｂのリードスイッチ５２ｂは、ウエイト部４３に設けられた磁性部材５１ｂを検出するので、出力信号コネクタ５４は、一個の遊技球１００に対して、１パルスを出力することができる。
【００３３】
このように、本実施形態の遊技球計数器１ｂによれば、遊技球１００の計数精度を、一個の遊技球１００に対して１パルスを出力することができ、遊技球計数器１と比べて計数精度を１０倍に向上することができる。
なお、本実施形態の遊技球計数器１ｂは、ストッパレバー４ｂ及び計数信号発生手段５ｂを交換するだけで、一個の遊技球１００に対して１パルスを出力する構成に容易に変更することができるので、部品の共用化を図ることができ、管理費や製造原価を低減することができる。
【００３４】
以上、本発明の遊技球計数器について、好ましい実施形態を示して説明したが、本発明に係る遊技球計数器は、上述した実施形態にのみ限定されるものではなく、本発明の範囲で種々の変更実施が可能であることは言うまでもない。
たとえば、遊技球計数器１ａは、スプロケット３ａに１６枚の歯３２を設け、さらに、四つの収納部３４を設けることにより、遊技球１００の計数精度を、四個の遊技球１００に対して１パルスを出力することができる。
また、遊技球計数器１ｂは、スプロケット３の歯３２の高さを交互に高くし、高くした歯３２によって、磁性部材５１ｂが持ち上げられたとき、出力信号コネクタ５４が１パルスを出力する構成としてもよく、このようにすると、遊技球１００の計数精度を、二個の遊技球１００に対して１パルスを出力する構成とすることができる。
さらに、磁気検出スイッチとして、リードスイッチ５２を使用したが、リードスイッチ５２の代わりに、ホール素子や磁気抵抗素子を使用することもできる。
【産業上の利用可能性】
【００３５】
本発明の遊技球計数器は、パチンコ遊技機の補給装置に限定されるものではなく、小球を計数する機器にも適用することが可能である。
【図面の簡単な説明】
【００３６】
【図１】本発明の第一実施形態にかかる遊技球計数器を説明するための概略図であり、（ａ）は上面図を、（ｂ）はＡ−Ａ断面図を示している。
【図２】本発明の第一実施形態にかかる遊技球計数器の使用状態を説明するための概略図であり、（ａ）は傾斜方向遊技球通路に使用したときの側面図を、（ｂ）は垂直方向遊技球通路を使用したときの側面図を示している。
【図３】本発明の第二実施形態にかかる遊技球計数器を説明するための概略図であり、（ａ）は上面図を、（ｂ）はＢ−Ｂ断面図を示している。
【図４】本発明の第三実施形態にかかる遊技球計数器を説明するための概略図であり、（ａ）は上面図を、（ｂ）はＣ−Ｃ断面図を示している。
【符号の説明】
【００３７】
１，１ａ，１ｂ  遊技球計数器
２  筐体
３，３ａ  スプロケット
４，４ｂ  ストッパレバー
５，５ｂ  計数信号発生手段
２１  下面
２２  傾斜方向遊技球通路
２３  垂直方向遊技球通路
３１  円板部
３２  歯
３３  球係合部
３４，３４ａ  収納部
３５  回転軸
４１  板部材
４２  屈曲片
４３  ウエイト部
４４  下面
５１，５１ａ，５１ｂ  磁性部材
５２，５２ｂ  リードスイッチ
５３  基板
５４  出力信号コネクタ
１００  遊技球
１０１  供給路
１０２  玉受け皿
【図１】
2005270428.tif 000003
【図２】
2005270428.tif 000004
【図３】
2005270428.tif 000005
【図４】
2005270428.tif 000006